(57)【要約】【課題】ジョイント管を槽外取付部材にに簡単かつ確実に連結できる浴槽用給湯口アダプタを提供する。【解決手段】本発明の給湯口アダプタは、槽外取付部材１と、ジョイント管６とを備える。槽外取付部材１およびジョイント管６の連結部の一方が雌側管部１４、残り一方が雄側管部６４とされる。雄側管部６４の基端側に先端部６４３よりも径大な案内部６４２が形成される。雌側管部６４の開口縁部は径大な大径孔部１４２、奥部は径小な小径孔部１４３とされる。雄側管部６４の先端部６４３および案内部６４２が雌側管部１４の小径孔部１４３および大径孔部１４２に配置される態様に、雄側管部６４が雌側管部１４に挿入された状態で、両管部１４，６４が連結される。雄側管部６４の先端部６４３に装着されたシール部材６６によって、雄側管部６４および雌側管部１４間の水密が図られる。【選択図】図７
2018194293.tif 000002
【特許請求の範囲】
【請求項１】
浴槽の側壁に貫通状態に取り付けられ、外管を介して浴槽内に湯水を供給する浴槽用給湯口アダプタであって、
浴槽の側壁外面に配置される槽外取付部材と、その槽外取付部材に連結され、かつ外管が接続されるジョイント管とを備え、
前記槽外取付部材および前記ジョイント管の互いの連結部のうちいずれか一方が、雌側管部として構成されるとともに、残り一方が、前記雌側管部に挿入する雄側管部として構成され、
前記槽外取付部材の連結部に、前記ジョイント管の連結部が回転自在に連結され、
前記雄側管部および前記雌側管部間の摩擦によって前記ジョイント管は任意の回転位置で固定可能となっていることを特徴とする浴槽用給湯口アダプタ。
【請求項２】
前記ジョイント管に接続された外管が、前記槽外取付部材の軸心に対し平行に配置される形態と、直交する方向に配置される形態との間で回転可能となっている請求項１に記載の浴槽用給湯口アダプタ。
【請求項３】
前記槽外取付部材および前記ジョイント管が硬質合成樹脂によって構成されている請求項１または２に記載の浴槽用給湯口アダプタ。
【発明の詳細な説明】
【技術分野】
【０００１】
本発明は、浴槽壁部に貫通状態に取り付けられて室外給湯機等に配管接続される浴槽用給湯口アダプタに関する。
【背景技術】
【０００２】
浴槽の給湯システムにおいて、循環式のものは、浴槽外に設置されている給湯機で沸かした温水を浴槽内に送る湯張り機能と、浴槽内の温水を吸い込んで給湯機に送り、給湯機で再加熱して高温水として浴槽内に戻す追い焚き機能とを備えている。
【０００３】
このような給湯システムでは、浴槽内と給湯機との間の循環流路を形成するために、浴槽用給湯口アダプタが浴槽の側壁に貫通状態で取り付けられる。
【０００４】
浴槽用給湯口アダプタは、所定の流路を形成する流路形成部材（仕切部材）と、仕切部材を浴槽の側壁部内面側に取り付ける槽内取付部材（雄ねじ部材）と、浴槽側壁を挟んで雄ねじ部材と連結される槽外取付部材とを備えており、この槽外取付部材の外管接続部に給湯機に繋がる外管が接続されるようになっている（特許文献１参照）。
【０００５】
ところで、給湯口アダプタにおける槽外取付部材は、外管接続部が槽外取付部材の軸心に沿って平行に延びる後方引出型、いわゆるストレート型のものと、槽外取付部材の軸心に対し略直角に折れ曲がった方向に延びる側方引出型、いわゆる折れ曲がり型（Ｌ型）のものとの２種類に大別される。
【０００６】
つまり、従来の給湯口アダプタでは、設置現場のアダプタ設置スペースの状況等に応じて、後方引出型の槽外取付部材と、側方引出型の槽外取付部材とを使い分けしなければならず、汎用性の面でやや不満が残る。
【０００７】
このような状況下にあって、後方引出型の槽外取付部材と、側方引出型の槽外取付部材とを１種類の槽外取付部材によって兼用できる技術の開発が進められている。
【０００８】
例えば外管接続部として機能するジョイント管を槽外取付部材に対し別体に形成し、そのジョイント管を槽外取付部材に回転自在に連結する。これにより、ジョイント管を槽外取付部材に対し回転操作することによって、ジョイント管（外管接続部）を槽外取付部材の軸心に対し平行に延びる後方引出型の形態と、軸心対し直角に折れ曲がる側方引出型の形態との２つ形態間で可変自在とし、現場の状況に応じていずれかの形態を選択できるようにしている。
【０００９】
このような槽外取付部材におけるジョイント管の連結構造を実現するには、凹凸嵌合方式を利用するのが一般的である。すなわち、槽外取付部材におけるジョイント管の連結部を、例えば雌側管部として構成するとともに、ジョイント管の槽外取付部材への連結部を、例えば雄側管部として構成し、雄側管部を雌側管部に回転自在に挿入して、抜け止め状態に連結する。さらにこの連結構造においては、雄側管部の外周面に設けた周溝に、シール部材としてのＯリングを収容しておき、そのＯリングによって、雌側管部と雄側管部との間の水密（シール）を図る。
【先行技術文献】
【特許文献】
【００１０】
【特許文献１】特開２０１１−２２０６７７号公報
【発明の概要】
【発明が解決しようとする課題】
【００１１】
しかしながら、上記した槽外取付部材におけるジョイント管の連結構造においては、ジョイント管を水密状態で簡単かつ確実に連結するのが困難であるという課題が発生する。
【００１２】
すなわち、ジョイント管の雄側管部を槽外取付部材の雌側管部に挿入する場合、雄側管部の先端の一部を雌側管部の開口部に挿入してから、雄側管部の軸心を雌側管部の軸心に一致させるように軌道修正しつつ、雄側管部を雌側管部に挿入するのが通例である。このため、雄側管部を雌側管部に挿入する際に、雄側管部の外周面に装着したＯリングの一部が、雌側管部の開口縁部内周面に引っ掛かって周溝から外れて位置ずれしてしまう。こうしてＯリングが位置ずれした状態で、雄側管部の挿入作業を継続することにより、Ｏリングの位置ずれした部分が雌側管部の内周面に相対的に押し戻されて、Ｏリングがさらに大きく位置ずれしてしまう。このようにＯリングが大きく位置ずれした状態で、ジョイント管が槽外取付部材に連結されてしまうと、水密性を十分に確保できないおそれがある。
【００１３】
一方、雄側管部を雌側管部に両軸心を正確に一致させてから挿入すれば、Ｏリングの位置ずれを防止することは可能であるが、挿入前、つまり雄側管部を雌側管部から離間させた状態で両管部の軸心を一致させる作業は、慎重かつ繊細な作業となり、作業者にとって負担が大きく、ジョイント管の槽外取付部材への連結作業が困難になるという別の課題が発生する。
【００１４】
この発明は、上記の課題に鑑みてなされたものであり、ジョイント管を槽外取付部材にに簡単かつ確実に連結することができる浴槽用給湯口アダプタを提供することを目的とする。
【課題を解決するための手段】
【００１５】
上記目的を達成するため、本発明は以下の構成を要旨とする。
【００１６】
［１］浴槽の側壁に貫通状態に取り付けられ、外管を介して浴槽内に湯水を供給する浴槽用給湯口アダプタであって、
浴槽の側壁外面に配置される槽外取付部材と、その槽外取付部材に連結され、かつ外管が接続されるジョイント管とを備え、
前記槽外取付部材および前記ジョイント管の互いの連結部のうちいずれか一方が、雌側管部として構成されるとともに、残り一方が、前記雌側管部に挿入する雄側管部として構成され、
前記雄側管部の先端部外周面にシール部材収容溝が周方向に沿って形成されるとともに、前記雄側管部の基端側に先端部よりも径寸法が大きい案内部が形成され、
前記雌側管部の管孔の奥部は、その径寸法が前記雄側管部の先端部を挿入し得る大きさに形成された小径孔部として構成されるとともに、前記雌側管部の管孔の開口縁部は、その径寸法が前記案内部を適合状態に嵌合し得る大きさに形成された大径孔部として構成され、
前記雄側管部の先端部および案内部が前記雌側管部の小径孔部および大径孔部にそれぞれ配置される態様に、前記雄側管部が前記雌側管部に挿入された状態で、前記雄側管部および前記雌側管部が抜け止め状態に連結されるとともに、
前記雄側管部のシール部材収容溝に収容されたシール部材によって、前記雄側管部および前記雌側管部間の水密が図られるようになっていることを特徴とする浴槽用給湯口アダプタ。
【００１７】
［２］前記雄側管部の先端部における案内部の先端面から、シール部材収容溝の軸心方向中間位置までの長さを「Ｌ１」、雌側管部の大径孔部の軸心方向の長さを「Ｌ２」としたとき、
「Ｌ１≦Ｌ２」の関係が成立するようになっている前項１に記載の浴槽用給湯口アダプタ。
【００１８】
［３］前記槽外取付部材の連結部に、前記ジョイント管の連結部が回転自在に連結され、
前記ジョイント管に接続された外管が、前記槽外取付部材の軸心に対し平行に配置される形態と、直交する方向に配置される形態との間で回転可能となっている前項１または２に記載の浴槽用給湯口アダプタ。
【００１９】
［４］前記雄側管部に前記雌側環部の先端面に接触するフランジ部が形成され、
前記雄側管部の外周面における前記シール部材収容溝および前記フランジ部の間に、ピン固定溝が周方向に沿って形成され、
前記雌側管部に、前記ピン収容溝に対応してピン挿通孔が形成され、
外部から前記雄側管部のピン挿通孔に挿脱自在に挿通された固定ピンが前記ピン収容溝に収容されて、その固定ピンが前記ピン収容溝の内周面および前記ピン挿通孔の内周面に係合することによって前記雄側管部および前記雌側管部が抜け止め状態に連結されるようになっている前項１〜３のいずれか１項に記載の浴槽用給湯口アダプタ。
【発明の効果】
【００２０】
上記［１］の浴槽用給湯口アダプタによれば、雄側管部を雌側管部に挿入する際に雄側管部に装着したリング状シール部材が位置ずれして水密不良が発生するのを確実に防止することができる。すなわち雌側管部の開口縁部における大径孔部は径寸法が大きいため、雄側管部を雌側管部に挿入する際に、雄側管部の先端部に装着されるリング状シール部材は、大径孔部の内周面に接触せず大径孔部内にスムーズに挿入される。さらに雄側管部を挿入して、案内部が大径孔部に嵌め込まれると、その嵌め込みによって雄側管部の雌側管部に対する位置決めが図られ、その状態で雄側管部の先端部が小径孔部に挿入される。従って、雄側管部のシール部材が小径孔部の内周面に部分的に強く接触することがなく、シール部材の位置ずれを防止でき、雄側管部を雌側管部に確実に挿入することができる。
【００２１】
上記［２］の浴槽用給湯口アダプタによれば、雄側管部を雌側管部に挿入するあたって、雄側管部のシール部材が小径孔部に挿入される時点で既に、案内部が大径孔部に嵌め込まれて両管部の置決めが図られるため、シール部材が小径孔部の内周面との接触により位置ずれするのを、より一層確実に防止することができる。
【００２２】
上記［３］の浴槽用給湯口アダプタによれば、ジョイント管の回転操作によって、ジョイント管に接続される外管をアダプタの軸心に対し直交する方向に向けたり、外管をアダプタの軸心と平行な方向に向けたりすることができる。従って、給湯口アダプタの設置スペースに応じて、外管の引き出し方向を自在に設定でき、汎用性を向上させることができる。
【００２３】
上記［４］の浴槽用給湯口アダプタによれば、雄側管部を雌側管部に挿入した後、雌側管部に固定ピンを挿入するだけで簡単に、両管部に抜け止め状態に確実に連結することができ、ジョイント管の槽外取付部材の組付作業をより一層簡単に行うことができる。
【図面の簡単な説明】
【００２４】
【図１】図１はこの発明の実施形態である浴槽用給湯口アダプタを示す斜視図である。
【図２】図２は実施形態の給湯口アダプタを示す断面図である。
【図３】図３は実施形態の給湯口アダプタを分解して示す斜視図である。
【図４】図４は実施形態の給湯口アダプタにおいてジョイント管をストレート形態に回転させた状態を背面側から見た斜視図である。
【図５】図５は実施形態の給湯口アダプタにおける槽外取付部材からジョイント管を分離した状態で示す斜視図である。
【図６】図６は実施形態の槽外取付部材におけるジョイント管の連結部周辺を示す拡大断面図である。
【図７】図７は実施形態の槽外取付部材におけるジョイント管の連結部周辺を分解して示す拡大断面図である。
【発明を実施するための形態】
【００２５】
図１〜図４はこの発明の実施形態である浴槽用給湯口アダプタを示す図である。これらの図に示すように、本実施形態の浴槽用給湯口アダプタは、浴槽の側壁Ｗに設けられた取付孔に組み付けられ、浴槽外に設置されている給湯機からの湯水を浴槽内に供給する湯張り（貯湯）機能と、浴槽内の温水を給湯機に吸い込んで加熱した高温水を浴槽内に戻す追い焚き機能とを備えた浴槽給湯システムに適用するものであり、いわゆる無極性タイプとして、給湯機に繋がる往き管と戻り管に対する接続が逆になっても同じ機能が得られるようになっている。
【００２６】
本実施形態の給湯口アダプタは、浴槽の内部と外部との間で所定の流路を形成する仕切部材３と、仕切部材３を浴槽の側壁Ｗの内面側に取り付ける雄ねじ部材２と、浴槽の側壁Ｗの外面側に配備されて、雄ねじ部材２を浴槽に固定する槽外取付部材１と、フィルター部材４と、槽外取付部材１に連結されるジョイント管６とを基本的な構成要素として備えている。
【００２７】
なお、本明細書において、浴槽用給湯口アダプタの軸心方向に沿って浴槽に対して内側（図２の左側）を「前側」または「正面側」とし、浴槽に対して外側（図２の右側）を「後側」または「裏面側」とし、また図２の上側を「上側」、図２の下側を「下側」とし、さらに図２の紙面に向かって垂直な方向を「両側方向」または「左右方向」として説明する。
【００２８】
槽外取付部材１は、例えば黄銅やステンレスまたは合成樹脂によって構成されており、本実施形態では、硬質合成樹脂の成形品によって構成されている。槽外取付部材１は、前面側が開放され、かつ後面側が閉塞された円筒形状の外筒部１２と、この外筒部１２の内部に同軸心上に配置される円筒形状の内筒部１１と、外筒部１２の前端外周に設けられた平板リング状のフランジ部１３と、外筒部１２の後壁外面に設けられる上下２つの雌側管部１４とを備え、これらが一体に形成されている。
【００２９】
内筒部１１の内部空間は、後述の内側流路Ａの一部として構成されるとともに、内筒部１１および外筒部１２間の環状空間は、後述の外側流路Ｂの一部として構成されている。
【００３０】
槽外取付部材１のフランジ部１３の外周縁部には、そのフランジ部１３と浴槽外壁面との間の水密を図るための合成樹脂製のリング状パッキング５１が取り付けられている。
【００３１】
図５〜図７に示すように外筒部１２の後壁外面に設けられる雌側管部１４は、互いに独立した管路を備えた円管状の形状を有している。雌側管部１４の各軸心は槽外取付部材１の軸心に対し直交するように上下方向に沿って配置されている。
【００３２】
なお、本実施形態においては、雌側管部１４のうち、下方に延びる下部雌側管部１４ａは、下向きに開放されるとともに、上方に延びる上部雌側管部１４ｂは、上向きに開放されている。下部雌側管部１４ａの先端開口は、内筒部１１の内部空間、つまり後述の内側流路Ａに連通接続されるとともに、上部雌側部１４ｂの先端開口は、内筒部１１および外筒部１２間の環状空間、つまり後述の外側流路Ｂに連通接続されている。
【００３３】
雌側管部１４の管孔における開口縁部は、奥部と比較して、内径寸法が大きく形成されている。本実施形態においては、雌側管部１４の管孔において、内径寸法が大きい開口縁部によって大径孔部１４２が構成されるとともに、内径寸法が小さい奥部によって小径孔部１４３が構成されている。
【００３４】
雌側管部１４の大径孔部１４２における小径孔部１４３よりの位置には、周囲４箇所において、周方向に長い長孔形状のピン挿通孔１４４が形成されている。各ピン挿通孔１４４は、雌側管部１４を貫通しており、各ピン挿通孔１４４を介して雌側管部１４の内外が連通している。
【００３５】
本実施形態においては、雌側管部１４が、槽外取付部材１の連結部として構成されている。さらにピン挿通孔１４４が、ピン挿通部として構成されている。
【００３６】
図５に示すように槽外取付部材１の雌側管部１４に連結されるジョイント管６は、硬質合成樹脂の一体成形品によって構成されている。このジョイント管６は、短管部および長管部の端部同士が連結された略Ｌ字状の形状を有している。ジョイント管６における長管部側の先端側は、外管接続部６１として構成されており、図１および図４に示すように往き管６ａおよび戻り管６ｂ等の外管の端部に圧入固定されて、往き管６ａおよび戻り管６ｂと連通接続できるようになっている。なお、外管接続部６１は、いわゆるタケノコ形状となっている。すなわち外管接続部６１の外周面には、周方向に連続する複数の抜け止め突条部６２が軸心方向に等間隔おきに一体に形成されており、接続される往き管６ａおよび戻り管６ｂの抜け止めを、より確実に図ることができるようになっている。言うまでもなく、外管接続部６１の形状は、タケノコ形状に限られず、外管６ａ，６ｂを連結できる構造であればどのような形状であっても良い。例えば外管接続部６１の外周面に雄ねじ状部を形成して、外管６ａ，６ｂをねじ止め状に連結できるようにしても良い。
【００３７】
図５〜図７に示すように、ジョイント管６の短管部側の先端側は、雄側管部６４として構成されており、槽外取付部材１における上記雌側管部１４に挿入できるようになっている。
【００３８】
雄側管部６４の軸心は、外管接続部６１の軸心に対し直角に配置されている。なお言うまでもなく、雄側管部６４内部の管路と、外管接続部６１内部の管路とは連通接続されている。
【００３９】
ジョイント管６の短管部側における雄側管部６４の近傍の外周には、外側に突出するフランジ部６３が一体に形成されている。このフランジ部６３の外径寸法は、上記槽外取付部材１の雌側管部１４における先端面の外径寸法にほぼ対応する大きさに形成されている。
【００４０】
雄側管部６４の先端部６４３は、その外径寸法が上記雌側管部１４の小径孔部１４３の内径寸法に対応する大きさに形成されており、小径孔部１４３に収容できるようになっている。
【００４１】
雄側管部６４の基端部には、先端部６４３よりも外径寸法が大きく、かつフランジ部６３よりも外径寸法が小さい案内部６４２が形成されている。この案内部６４２の外径寸法は、上記雌側管部１４の大径孔部１４２の内径寸法に対応する大きさに形成されており、案内部６４２を大径孔部１４２にほぼ適合させた状態で嵌合できるようになっている。
【００４２】
なお、案内部６４２の軸心方向の寸法は、雌側管部１４における大径孔部１４２の軸心方向の寸法Ｌ２よりも短く形成されている。
【００４３】
雄側管部６４の先端部６４３の外周面における端面近傍には、周方向に連続するＯリング収容溝６５が形成されている。このＯリング収容溝６５内には、弾力性および密着性を有する合成ゴム製のＯリング６６が装着されている。なお本実施形態においては、Ｏリング収容溝６５によって、シール部材収容溝が構成されるとともに、Ｏリング６６によって、リング状シール部材が構成されている。
【００４４】
雄側管部６４の先端部６４３の外周面における基端には、案内部６４２に隣接するようにしてピン収容溝６４４が周方向に連続して形成されている。この雄側管部６４のピン収容溝６４４は、雌側管部１４のピン挿通孔１４４に対応する位置に配置されている。
【００４５】
なお本実施形態においては、雄側管部６４が、ジョイント管６の連結部として構成されている。さらにピン収容溝６４４がピン収容部として構成されている。
【００４６】
以上の構成のジョイント管６の雄側管部６４が、槽内取付部材１の雌側管部１４に挿入されて連結されている。すなわち、雄側管部６４が雌側管部１４の管孔内に挿入されて、雄側管部６４の先端部６４３および案内部６４２が雌側管部１４の小径孔部１４３および大径孔部１４２にそれぞれほぼ適合した状態に配置される。この挿入状態においては、雄側管部６４の外周面が雌側管部１４の内周面に摺接しており、雄側管部６４が雌側管部１４に対し軸心回りに回転可能となっている。さらに両管部１４，６４間の摩擦によって、雄側管部６４は任意の回転位置で固定可能となっている。
【００４７】
なお、雄側管部６４の雌側管部１４への挿入時には、フランジ部６３が雌側管部１４の先端面に当接することによって、挿入方向の位置決めが図られている。
【００４８】
また雄側管部６４が雌側管部１４に挿入された状態では、雄側管部６４のＯリング収容溝６５内に収容されたＯリング６６が、雌側管部１４の内周面に弾性圧縮して接触しており、これにより雄側管部６４の外周面と雌側管部１４の内周面との間の水密性（シール性）が確保されている。
【００４９】
ここで、本実施形態では、作業者が、ジョイント管６（雄側管部６４）を雌側管部１４に挿入する作業において、雄側管部６４のＯリング収容溝６５に収納されたＯリング６６が雌側管部１４の小径孔部１４３に挿入される付近で、雄側管部６４の案内部６４２が雌側管部１４の大径孔部１４２に挿入されるように、雄側管部６４および雌側管部１４の各部位の寸法が調整されている。
【００５０】
これにより、本実施形態においては、雄側管部６４を雌側管部１４に挿入する際に、Ｏリング６６が位置ずれして、水密不良等の不具合が発生するのを確実に防止することができる。すなわち、雄側管部６４を雌側管部１４に挿入する際に、まず初期段階として、雄側管部６４の先端部６４３を、雌側管部１４の大径孔部１４２に挿入するが、大径孔部１４２は、先端部６４３よりも径寸法が大きくなっている。このため、雄側管部６４が雌側管部１４に対し軸心が多少位置ずれしていようとも、雄側管部６４の先端部６４３に装着されたＯリング６６が、大径孔部１４２の内周面に強く接触することはなく、Ｏリング６６がＯリング収容溝６５から外れて位置ずれするような不具合が発生することはない。
【００５１】
さらに挿入作業を続けていくと、雄側管部６４のＯリング６６の位置が雌側管部１４の小径孔部１４３に挿入されることとなるが、本実施形態においては、Ｏリング６６が小径孔部１４３に挿入されるあたりで、雄側管部６４の案内部６４２が雌側管部１４の大径孔部１４２に嵌合することになる。案内部６４２の外径寸法は、大径孔部１４２の内径寸法に対応して形成されているため、案内部６４２が大径孔部１４２に適合状態に嵌合する。そうすると、案内部６４２が大径孔部１４２の内周面に案内されることにより、雄側管部６４がその軸心が雌側管部１４の軸心に一致するように位置が調整される。
【００５２】
こうして位置合わせされて、雄側管部６４のＯリング６６の部分が雌側管部１４の小径孔部１４３に挿入されていく。このため、Ｏリング６６の一部が小径孔部１４３の内周面に強く接触することがなく、Ｏリング６６の全周が小径孔部１４３の内周面全周に適度に接触した状態で、雄側管部６４の先端部６４３が挿入されていく。従って、Ｏリング６６がＯリング収容溝６５から外れて位置ずれするような不具合を確実に防止しつつ、雄側管部６４を雌側管部１４に所定の位置まで確実に挿入することができる。
【００５３】
また本実施形態において、図７に示すように雄側管部６４の先端部６４３における案内部６４２の先端面から、Ｏリング収容溝５５の軸心方向中間位置までの軸心方向の長さを「Ｌ１」とし、雌側管部１４の大径孔部１４２の軸心方向の長さを「Ｌ２」としたときに、「Ｌ１≦Ｌ２」の関係式を成立させるのが好ましい。
【００５４】
すなわちこの関係式が成立する場合には、雄側管部６４を雌側管部１４に挿入する際に、雄側管部６４のＯリング６６が雌側管部６４の小径孔部６３に挿入された時点で既に、雄側管部６４の案内部６４２が雌側管部１４の大径孔部１４２に嵌合している。このためこの嵌合により、雄側管部６４の雌側管部１４に対する位置合わせが確実に図られた状態で、雄側管部６４の先端部６４３を雌側管部１４の小径孔部１４３の奥部へと挿入することができる。従って、Ｏリング６６が位置ずれして水密不良が生じるのを、より一層確実に防止することができる。
【００５５】
一方、本実施形態では、ジョイント管６の雄側管部６４を雌側管部１４に挿入した後、抜け止めを図るために、固定ピン部材７が用いられる。
【００５６】
図５および図６に示すように、固定ピン部材７は、略Ｕ字状に形成されており、拡開方向に弾性変形可能な一対の固定ピン７１，７１を備えている。各固定ピン７１，７１の中間部は、ジョイント管６におけるピン収容溝６４４に対応して、外側に湾曲形成された抱持部７２，７２が設けられている。
【００５７】
この固定ピン部材７の一対の固定ピン７１，７１が、雄側管部６４が挿入された状態の雌側管部１４の一側面（右側面）において前後に隣り合うピン挿通孔１４４，１４４に挿入される。これにより、一対の固定ピン７１，７１が雄側管部６４の前後両側においてピン収容溝６４４，６４４内を通って、その一対の固定ピン７１，７１の先端が、雌側管部１４の他側面（左側面）において前後に隣り合うピン挿通孔１４４，１４４に挿入された状態に配置される。このピン挿入状態では、一対の固定ピン７１，７１が少し外側に弾性変形しており、その弾性力によって、一対の固定ピン７１，７１が雄側管部６４をそのピン収容溝６４４の部分において両側から抱持している。さらに一対の固定ピン７１，７１が雌側管部１４におけるピン挿通孔１４４の内周面と、雄側管部６４におけるピン収容溝６４４の内周面とに係合することによって、雄側管部６４が雌側管部１４に対し軸回り方向の回転を許容しつつも軸心方向の移動が規制されて抜け止めが図られている。
【００５８】
ここで、本実施形態においては、固定ピン７１を挿入するだけで、ジョイント管６を槽外取付部材１の雌側管部１４に抜け止め状態に連結できるため、ねじ止め等の面倒な作業で連結する場合と比較して、ジョイント管６の連結操作を簡単に行うことができる。
【００５９】
なお言うまでもなく、ジョイント管６を槽外取付部材１から取り外す場合には、固定ピン部材７を雌側管部１４から抜き取るだけで良い。
【００６０】
図２および図３に示すように、雄ねじ部材２は、例えば硬質合成樹脂の一体成形品からなり、両端が開放された筒状部２１の前端外周に平板リング状のフランジ部２２が一体形成されており、筒状部２１の外周面には、槽外取付部材１の雌ねじに螺合される雄ねじが刻設されている。
【００６１】
フランジ部２２の前面側には、仕切部材３に設けられるロックピン３５の先端に嵌合される多数の有底のロック孔２３が周方向へ一定間隔毎に設けられている。
【００６２】
雄ねじ部材２の筒状部２１は、取付孔を通じて槽外取付部材１の外筒部１２に螺合されて固定される。
【００６３】
これにより、雄ねじ部材２は、槽外取付部材１のフランジ部１３が浴槽の側壁Ｗ外面（外壁面）の取付孔Ｈの周縁部に沿うように配置された状態で、リング状パッキング５３を介して浴槽内壁面の取付孔の周縁部に圧接される。
【００６４】
こうして槽外取付部材１および雄ねじ部材２のフランジ部１３，２２によって、浴槽側壁Ｗの取付孔周縁部が挟持されて、浴槽の側壁Ｗに貫通状態に組み付られる。
【００６５】
仕切部材３は、無極性タイプとして流路を形成するものであり、例えば硬質合成樹脂の成形品によって構成されている。この仕切部材３は、軸心方向（前後方向）に延びる細長い円筒形状の円筒部３１と、円筒部３１の前端部に設けられた円盤状の円盤部３２とを有している。
【００６６】
円盤部３２は、内部に複数の流路が設けられる中空構造を有しており、外周を囲うようにして一体に形成された外周壁と、外周壁の前面側開口の一部を閉塞する前板３３とを備えている。
【００６７】
円盤部３２の外周壁の下部両側には、複数、例えば２つの開口部３２１が形成されている。
【００６８】
円筒部３１は、円筒部３１の内部と、それに連通する槽外取付部材１の内筒部１１の内部とによって内側流路Ａが形成される。
【００６９】
さらに円筒部３１は、後述するように雄ねじ部材２の筒状部２１の内部に配置されるものであり、円筒部３１および筒状部２１間の環状空間と、それに連通する槽外取付部材１の内筒部１１および外筒部１２間の環状空間とによって、外側流路Ｂが形成される。
【００７０】
本実施形態では、円盤部３２に設けられた開口部３２１のうちいずれか一方が吐出口として機能するとともに、残り一方が吸引口として機能する。なおダブル搬送方式の給湯機を採用する場合には、湯はり時において、２つの開口部３２１が共に吐出口として機能する。
【００７１】
以上の構成の仕切部材３は、浴槽側壁Ｗに組み付けられた雄ねじ部材２に、周知の取付手段によって着脱自在に組み付けられる。このとき、仕切部材３における円筒部３１が、雄ねじ部材２の内部に配置される槽外取付部材１の内筒部１１に挿入される。
【００７２】
この状態では、槽外取付部材１の内筒部１１と仕切部材３の円筒部３１との間にＯリング３６が配置され、このＯリング３６によって、内筒部１１および円筒部３１間の水密が図られる。
【００７３】
また、仕切部材３の円盤部３２の後面に設けられたパッキング（図示省略）によって、仕切部材３の円盤部３２と雄ねじ部材２のフランジ部２２との間の水密が図られるようになっている。
【００７４】
なお、仕切部材３における前板３３の中央上部には、ロックピン３５が挿入されるピン挿入孔３４が形成されており、仕切部材３のピン挿入孔３４にロックピン３５を圧入した際に、そのロックピン３５の先端部が、上記雄ねじ部材２におけるロック孔２３の一つに嵌合することによって、雄ねじ部材２に対して仕切部材３の回転変位が阻止されるようになっている。
【００７５】
フィルター部材４は、例えば硬質合成樹脂製の皿形の成形品からなり、下端部には、円盤部３２の開口部３２１に対応する開口部４２が設けられ、前面壁部には、多数の吸込孔４１が形成されており、仕切部材３の前面側に着脱自在に装着されるようになっている。
【００７６】
以上の構成の給湯口アダプタにおいては、槽外取付部材１に連結された２つのジョイント管６，６に、給湯機から湯水が供給される往き管６ａと、給湯機側に湯水を戻す戻り管６ｂが連結されるが、本実施形態の給湯口アダプタは、無極性タイプのものであるため、２つのジョイント管６，６のいずれの管に、往き管６ａおよび戻り管６ｂのいずれの管を接続しても良い。例えば図１に示すように、給湯口アダプタの内部流路Ａに連通する一方のジョイント管６に往き管６ａを接続し、外部流路Ｂに連通する他方のジョイント管６に戻り管６ｂを接続した場合には、往き管６ａから供給される湯水が内部流路Ａを通って、仕切部材３の一方の開口部３２１から浴槽内に供給されるとともに、浴槽内の湯水が仕切部材３の他方の開口部３２１から仕切部材３の内部に吸い込まれて、外部流路Ｂおよび戻り管６ｂを通って給湯機に戻るようになっている。
【００７７】
また、逆に往き管６ａを、他方のジョイント管６に接続し、戻り管６ｂを一方のジョイント管６に接続した場合には、給湯機からの湯水は往き管６ａおよび外部流路Ｂを通って浴槽内に供給される一方、浴槽内の湯水は、内部流路Ａおよび戻り管６ｂを通って給湯機に戻されることになる。
【００７８】
なお本実施形態においては、往き管６ａおよび戻り管６ｂ等の外管は、その少なくとも一部が、可撓性を有する合成樹脂の成形品によって構成されている。
【００７９】
以上のように本実施形態の浴槽用給湯口アダプタによれば、槽外取付部材１の雌側管部１４における管孔の入口側に大径孔部１４２を形成するとともに、ジョイント管６の雄側管部６４における基端部に大径の案内部６４２を形成しているため、既述したとおり、雄側管部６４を雌側管部１４に挿入する際に、雄側管部６４の先端部６４３に装着されるＯリング６６が位置ずれするのを防止でき、良好な水密性を確保することができる。さらに雄側管部６４の雌側管部１４に対する位置関係等を特に意識せずに、雄側管部６４を雌側管部１４に押し込むだけで簡単かつ確実に、雌側管部１４に挿入することができる。
【００８０】
さらに雄側管部６４を雌側管部１４に挿入した後、雌側管部１４に固定ピン部材７を挿入するだけで、雄側管部６４を雌側管部１４に抜け止め状態に確実に連結することができ、面倒なねじ止め操作等を省略でき、より一層、ジョイント管６の槽外取付部材１の組付作業を簡単に行うことができる。
【００８１】
また槽外取付部材１に組み付けられたジョイント管６は、雄側管部６４の軸心回り、つまり槽外取付部材１の軸心に対し直交する方向の軸回りに３６０°回転可能に構成されるため、その回転操作によって、例えば図１に示すようにジョイント管６の外管接続部６１を槽外取付部材１の軸心に対し直交する方向に向けたり、図４に示すようにジョイント管６の外管接続部６１を槽外取付部材１の軸心と平行な方向に向けたりすることができる。従って、外管６ａ，６ｂを槽外取付部材１の軸心に対し直交する方向に引き出したり、平行な方向に引き出したりすることができ、給湯口アダプタの設置スペースに応じて、外管６ａ，６ｂの引き出し方向を最適な方向に自在に設定でき、汎用性を向上させることができる。
【００８２】
また本実施形態において、一対のジョイント管６，６に接続される外管６ａ，６ｂとして樹脂管を使用する場合には、一対のジョイント管６，６における外管接続部６１，６１の先端位置を一致させておくのが好ましい。具体的には、ジョイント管６，６を槽外取付部材１の軸心に対し例えば平行に配置した状態において（図４参照）、外管接続部６１，６１の先端の軸心方向の位置を互いに一致させておくのが好ましい。すなわち外管接続部６１，６１の先端位置が不揃いであると、その外管接続部６１，６１の先端位置に合わせて、往き管６ａおよび戻り管６ｂ等の外管のいずれか一方の配管の端部を切断する必要がある。しかしながら、樹脂管は、切断等の端部の加工が面倒であるため、外管接続部６１，６１の先端位置に合わせて切断することが困難であり、配管接続作業が困難になるおそれがある。従って既述したように、外管接続部６１，６１の先端位置を一致させておくのが好ましい。
【００８３】
なお、上記実施形態においては、槽外取付部材１側に雌側管部１４を形成するとともに、ジョイント管６側に雄側管部６４を形成する場合を例に挙げて説明したが、本発明はそれだけに限られず、槽外取付部材側に雄側管部を形成するとともに、ジョイント管側に雌側管部を形成しておいて、槽外取付部材の雄側管部をジョイント管の雌側管部に挿入するように構成しても良い。この場合であっても、上記実施形態と同様に、同様の作用効果を得ることができる。
【００８４】
また上記実施形態においては、固定ピン７１を収容する雄側管部６４のピン収容溝６４４を、Ｏリング収容溝６５と案内部６４２との間に形成しているが、本発明においては、ピン収容溝６４４の形成位置は特に限定されるものではなく、ピン収容溝（ピン収容部）の形成位置は、Ｏリング収容溝６４４よりも基端側、つまりＯリング収容溝６４４とフランジ部６３との間であればどの位置に形成しても良い。
【産業上の利用可能性】
【００８５】
この発明の浴槽用給湯口アダプタは、浴槽内に湯水を供給するための浴槽用給湯金具として利用可能である。
【符号の説明】
【００８６】
１：槽外取付部材
１４：雌側管部（連結部）
１４ａ：下部雌側管部（連結部）
１４ｂ：上部雌側管部（連結部）
１４２：大径孔部
１４３：小径孔部
１４４：ピン挿通孔（ピン挿通部）
６ａ：往き管（外管）
６ｂ：戻り管（外管）
６：ジョイント管
６４：雄側管部
６４２：案内部
６４３：先端部
６４４：ピン収容溝（ピン収容部）
６５：Ｏリング収容溝（シール部材収容溝）
６６：Ｏリング（リング状シール部材）
７１：固定ピン
Ｗ：側壁
【図１】
2018194293.tif 000003
【図２】
2018194293.tif 000004
【図３】
2018194293.tif 000005
【図４】
2018194293.tif 000006
【図５】
2018194293.tif 000007
【図６】
2018194293.tif 000008
【図７】
2018194293.tif 000009